(57)【要約】【課題】    石けんの水切れ乾燥を良くし、また、水分による溶融を防ぐと共に、石けんカスが浴室床面または洗面台周辺へ付着することを防止する機能を有し、更に泡立ちを良くすると共に、デザインの可変性を付加した固形石けんの製造方法を提供する。【解決手段】  石けんに円形または多角形の穴を開けることにより、軽く擦るだけで泡立ちを良くし、穴に通した紐または穴自体を利用して壁面に設置したフックに掛け、水切り乾燥を向上させる機能を持たせた石けん。【選択図】  図１
2008024728.tif 000002
【特許請求の範囲】
【請求項１】
穴を開けた石けんを特徴とする。
【請求項２】
石けんに開けた穴の形状は、円形または多角形であることを特徴とする。
【請求項３】
石けんに開けた穴の深さは、貫通穴または窪みであることを特徴とする。
【請求項４】
石けんに開けた穴は、使用後の保存時に、フックに掛けるまたは紐を結んで掛けることで水切りに効果を持つことを特徴とする。
【請求項５】
石けんに穴を開けるに際し、固化させた上での打ち抜き法または液状化した状態で型枠に流し込む方法であることを特徴とする。
【発明の詳細な説明】
【技術分野】
【０００１】
本発明は、固形石けんの製造方法に関する。
更に詳しくは、水切れ乾燥を良くし、また、水分による溶融を防ぐと共に、石けんカスが浴室床面または洗面台周辺へ付着することを防止する機能を有する、更に泡立ちを良くすると共に、デザインの可変性を付加した固形石けんの製造方法に関する。
【背景技術】
【０００２】
石けんは、固形から液状に変わりつつある。これは、従来の固形石けんは、液状石けんに比べ、泡立ちが悪く、また水分により溶融することにより保存時に軟化したり、石けんカスが周囲に付着する欠点を有することが原因となっている。
【０００３】
このような問題を解決するために、使用した石けんを入れる容器に吸水性を持たせたり、紐で吊るす、またはネットに入れる工夫が行われている。
【０００４】
例えば特許文献１には、石けんを入れる容器の形状を水切れの良い形状とすることが提案されている。
【０００５】
例えば特許文献２には、石けんを入れるネットを提供することにより、泡立てやすく、小さくなっても取り扱いやすくすることが提案されている。
【０００６】
【特許文献１】特開２００５−５２６０４号公報
【０００７】
【特許文献２】特開２００６−０４３３９０号公報
【発明の開示】
【発明が解決しようとする課題】
【０００８】
しかし、前記した特許文献１及び特許文献２に記載の技術においては、固形石けんが持つ以下の課題を石けん以外の副資材（容器、保持具、添加物）により個々の部分において解決しようとするものである。
１  固形石けんにおいては、保存時の水分（湿気）による軟化溶融を防ぐことが求められる。
２  固形石けんにおいては。泡立ちを良くすることが求められる。
３  固形石けんにおいては、石けんカスの使用環境への付着防止が求められる。
４  固形石けんは、使用が進むにつれ、または小型成型による場合において、泡立ちの減少および取り扱いの困難さが増加する。
５  固形石けんは、表面または内部に水分を含む容器と接触することにより、容易に軟化溶融を起こし易い。
【０００９】
このことから、本発明者は、「固形石けん」自体に上記課題の解決を求める共に、製品デザインの可変性、収納容器との自在対応性を課題とした。
【課題を解決するための手段】
【００１０】
上記課題のすべてに対応するためには、副資材（容器、保持具、添加物）による個別課題の部分的解決を図るのではなく、石けん本体に課題解決の手段を持たせることを課題とする。
【００１１】
本明細においては、固形石けんの形状を変える事により、上記課題の解決が図れることを意味する。
【００１２】
上記目的を達成するために講じた本発明の手段は次の通りである。
【００１３】
第１の発明にあっては、穴を開けた石けんを特徴とする。
固形石けんに穴を開けることにより、軽く擦るだけで泡立ちが格段に向上する。
さらには、使用後にフックまたは紐を利用して掛けることにより、水切り乾燥効果を上げることが出来る。
【００１４】
第２の発明にあっては、石けんに開けた穴の形状は、円形または多角形であることを特徴とする。
石けんに開けた穴の形状による泡立ち効果には、大きな違いはない。穴（石けんと手の平との間に空洞部）を持ち、濡れた石けんを擦ることが泡立ちを良くすることになる。
また、使用後にフックまたは紐を利用して掛けることにより、水切り乾燥効果を上げることが出来る。
【００１５】
第３の発明にあっては、石けんに開けた穴の深さは、貫通穴または窪みであることを特徴とする。
石けんの泡立ち効果という点については、穴の深さによる違いに著しい差異は認められない。穴（石けんと手の平との間に空洞部）を持ち、濡れた石けんを擦ることが泡立ちを良くすることになる。
【００１６】
第４の発明にあっては、石けんに開けた穴は、使用後の保存時に、フックに掛けるまたは紐を結んで掛けることで水切りに効果を持つことを特徴とする。
【００１７】
第５の発明にあっては、石けんに穴を開けるに際し、固化させた上での打ち抜き法または液状化した状態で型枠に流し込む方法であることを特徴とする。
固形石けんに穴を開ける、または穴の開いた固形石けんを作ることにより、泡立ち効果が得られる。
【００１８】
本明細書にいう「石けん」とは、身体または生活環境の洗浄を目的に使う固形物を言う。
【００１９】
本明細書にいう「穴」の表現は、石けんの任意の位置に開けられた、円形または多角形の窪みの意味である。深さについては、特に限定されない。
【００２０】
「石けんカス」の表現は、石けん使用時の泡または溶解物が任意の場所に付着固化したものの意味である。
【００２１】
本発明において、固化した石けんに打ち抜き法により穴を開ける場合には、固化した石けんの温度が３０℃〜７０℃である状態において行う。望ましくは、５０℃程度で打ち抜く場合に破損またはひび割れが最も少ない。
【００２２】
本発明において、液状の石けんを型枠に入れて成型する場合には、温度が７０℃以上の状態において行う。
【発明の効果】
【００２３】
本発明は、石けんに開けられた穴の効果により、軽く擦るだけで泡立ちが良く、また、穴を利用してフックまたは紐を利用して壁面に保存することにより、水切り乾燥効果を高めることが出来る。
【発明を実施するための最良の形態】
【００２４】
発明の実施の形態を実施例にもとづき図面を参照して説明する。
図２において、石けんに開けられた穴に紐を通した状態または紐のない状態で、水または温湯に濡らして軽く擦って泡立て使用する。使用後は、穴または紐を壁面のフックにかけて保存する。
【００２５】
実施例として、本発明の泡立ち効果を確認するために、穴開き石けんと穴なし石けんを３６℃の湯に５分間浸漬した後、両手に挟んで１０回ずつ擦った後の泡の状態をみた。
【００２６】
得られた泡の状態を図３に示すが、穴開き石けんは、穴なし石けんより多数の泡が得られており、泡立ち効果が確認された。
【００２７】
実施例として、本発明の水切れ効果を確認するために、穴開き石けんと穴なし石けんを３６℃の湯に５分間浸漬した後、穴開き石けんは図４に示すように紐で吊るして室温で放置した。穴なし石けんは、図５に示すように石けん箱に入れて室温で放置した。
【００２８】
１２時間後の重量変化を表1に示すが、水切れの早さを重量減で示すと、穴開き石けんの水切れ効果が確認された。
【００２９】
【表１】
2008024728.tif 000003
【図面の簡単な説明】
【００３０】
【図１】穴開き石けんのイメージ図である。穴の直径及び形状は可変である。
【図２】温湯浸漬後の泡立てイメージ図である。
【図３】穴開き石けんと穴なし石けんを温湯浸漬後、両手で１０回ずつ擦った後の泡立ちを比較する図である。
【図４】穴開き石けんの水切れ効果測定のための室温放置状況図である。
【図５】穴なし石けんの水切れ効果測定のための室温放置状況図である。
【図１】
2008024728.tif 000004
【図２】
2008024728.tif 000005
【図３】
2008024728.tif 000006
【図４】
2008024728.tif 000007
【図５】
2008024728.tif 000008